(57)【要約】【課題】簡便に庇構造体を外壁に取り付け、施工期間を短縮し得る片持ち庇構造を提供する。【解決手段】本の片持ち庇構造１は、建築物の１階の玄関２の上部に庇構造体２０が片持ち状に取り付けられた構造である。庇構造体２０は、上枠材２１及び下枠材２２を有する庇取付枠２３と、上枠材２１から片流れした上弦材２４、及び下枠材２２から延出し且つ上弦材２４の下部と結合した下弦材２５を有する庇トラス２６とを備え、庇トラス２６が庇取付枠２３に複数配設されている。上枠材２１が、玄関２の上方に配設された２階床構造体７を構成する床根太８に固定されていると共に、下枠材２２が、玄関２の上部を構成するまぐさ３に固定されている。【選択図】    図２
2004300801.tif 000002
【特許請求の範囲】
【請求項１】
外壁開口部の上部に庇構造体が片持ち状に取り付けられた片持ち庇構造において、
前記庇構造体は、上枠材及び下枠材を有する庇取付枠と、該上枠材から片流れした上弦材、及び該下枠材から延出し且つ該上弦材の下部と結合した下弦材を有する庇トラスとを備え、該庇トラスが該庇取付枠に複数配設されており、
前記上枠材が、前記外壁開口部の上方に配設された床を構成する床構造材に固定されていると共に、前記下枠材が、前記外壁開口部の上部を構成する開口上部構造材に固定されていることを特徴とする片持ち庇構造。
【請求項２】
前記上枠材は、上部連結材と、互いに隣接する前記上弦材の間に介在した上部転び止めとから一体的に構成されており、該上部連結材及び該上部転び止めが、締結具により貫通されて前記床構造材に固定され、
前記下枠材は、下部連結材と、互いに隣接する前記下弦材の間に介在した下部転び止めとから一体的に構成されており、該下部連結材及び該下部転び止めが、締結具により貫通されて前記開口上部構造材に固定されていることを特徴とする請求項１記載の片持ち庇構造。
【請求項３】
前記庇トラスは、所定のモジュール毎に配置されていることを特徴とする請求項１又は２の何れかに記載の片持ち庇構造。
【請求項４】
前記上弦材には、屋根面材が設けられ、該屋根面材は、その一部が開いて前記上枠材を開放するように仮止めされており、
前記上枠材は、前記屋根面材が開いた段階で、締結具により貫通されて前記床構造材に固定されており、前記屋根面材が閉じた段階で、他の締結具により前記屋根面材と共に貫通されて前記床構造材に固定されていることを特徴とする請求項１乃至３の何れかに記載の片持ち庇構造。
【請求項５】
請求項１乃至４の何れかに用いられる庇構造体であって、
前記上弦材には、屋根面材が設けられており、該屋根面材は、その一部が開いて前記上枠材を開放するように仮止めされていることを特徴とする庇構造体。
【発明の詳細な説明】
【０００１】
【発明の属する技術分野】
本発明は、建築物の外壁において開口した、出入り口（玄関、勝手口）、窓等のような開口部の上部に庇構造体を取り付けた片持ち庇構造に関する。
【０００２】
【従来の技術】
近年、この種の庇構造体を建築物の外壁に取り付ける際、その取付作業を改良する観点等から、以下に示すような技術が提案されている。
特許文献１に示された従来技術においては、まず、外壁に枠体を固定し、次いで、その枠体に複数のパネル材を取り付けることにより、外壁上に庇構造体を構築している。
また、特許文献２に示された従来技術においては、予め、建築物における上枠やたて枠にボルトを埋め込んでおき、そのボルトに庇構造体を取り付けてナットで締結することにより、外壁上に庇構造体を固定している。
【０００３】
【特許文献１】
特開平８−２０９８４１号公報
【特許文献２】
特開平９−２１７４５５号公報
【０００４】
【発明が解決しようとする課題】
上記特許文献１の従来技術にあっては、枠体や複数のパネル材を取り付ける際に多数の工程を有するため、建築現場で行う作業が多くなる結果、施工期間が延びる原因になっていた。
また、上記特許文献２の従来技術にあっては、上枠のボルトに庇構造体を締結した後でなければ、その上枠より上方の構造物を施工することができず、例えば、庇構造体を１階玄関の上部に適用した場合には、２階構造物の施工が遅れるおそれがあった。
【０００５】
従って、本発明の目的は、簡便に庇構造体を外壁に取り付け、施工期間を短縮し得る片持ち庇構造を提供することにある。
【０００６】
【課題を解決するための手段】
本発明は、外壁開口部の上部に庇構造体が片持ち状に取り付けられた片持ち庇構造において、前記庇構造体は、上枠材及び下枠材を有する庇取付枠と、該上枠材から片流れした上弦材、及び該下枠材から延出し且つ該上弦材の下部と結合した下弦材を有する庇トラスとを備え、該庇トラスが該庇取付枠に複数配設されており、前記上枠材が、前記外壁開口部の上方に配設された床を構成する床構造材に固定されていると共に、前記下枠材が、前記外壁開口部の上部を構成する開口上部構造材に固定されていることを特徴とする片持ち庇構造を提供することにより、上記目的を達成したものである。
【０００７】
本発明の場合、庇構造体を、床構造材及び開口上部構造材の双方に固定するようにしたため、簡便且つ強固に庇構造体を取り付けることができ、また、庇構造体を外壁の施工状況に依らず取り付け可能なため、施工期間を短縮できる。
【０００８】
【発明の実施の形態】
以下本発明に係る片持ち庇構造の好ましい一実施形態を図面を参照して説明する。
図１及び図２に示すように、本実施形態の片持ち庇構造１は、建築物における、１階の玄関や勝手口、窓等のような外壁開口部の上部に適用され得るが、これらの中でも特に、１階の玄関２の上部に庇構造体２０が片持ち状に取り付けられた構造である。
庇構造体２０は、上枠材２１及び下枠材２２を有する庇取付枠２３と、上枠材２１から片流れした上弦材２４、及び下枠材２２から延出し且つ上弦材２４の下部と結合した下弦材２５を有する庇トラス２６とを備え、庇トラス２６が庇取付枠２３に複数配設されている。
上枠材２１が、玄関（外壁開口部）２の上方に配設された２階床構造体（床）７を構成する床根太（床構造材）８に固定されていると共に、下枠材２２が、玄関２の上部を構成するまぐさ（開口上部構造材）３に固定されている。
かかる片持ち庇構造１を詳細に述べる。
【０００９】
まず、庇構造体２０が取り付けられる外壁１５（１５Ａ、１５Ｂ）の構造を説明する。
図２に示すように、１階の外壁１５Ａには、隣接するたて枠（図示しない）の間にまぐさ３が取り付けられ、そのまぐさ３を支持するまぐさ受け４が、上記たて枠に合わせて立設されている。そして、まぐさ３及び双方のまぐさ受け４の内側には、玄関２としての開口部が形成されている。まぐさ３の上方には、たて枠５や上枠材６が取り付けられている。
【００１０】
２階床構造体７は、床根太８、転び止め９、及び床面材１０等から構成されているが、２階の外壁１５Ｂには、床根太８、床面材１０の一部、２階たて枠１１等が含まれる。２階たて枠１１、床根太８、まぐさ３等には、外壁下地材１２が貼付されている。
【００１１】
庇構造体２０を取り付けるべき領域は、玄関２の上方において、床根太８を取付位置の上限とし、まぐさ３を取付位置の下限とした範囲であり、床根太８とまぐさ３との間にあるたて枠５を取付位置とすることも可能である。
【００１２】
次に、庇構造体２０の構成を説明する。
図１又は図２に示すように、庇構造体２０は、庇トラス２６が庇取付枠２３に複数配設されて一体的に構成されたユニットである。
具体的には、庇トラス２６は、上弦材２４、下弦材２５のほか、第１の合板ガセット２７、第２の合板ガセット２８が鉛直面上に配置され、三角形枠状に構成されている。
【００１３】
上弦材２４は、庇の屋根勾配に従って片側に流れる斜材（垂木）である。下弦材２５は、庇の下面を構成する水平材である。第１の合板ガセット２７は、上弦材２４の上端部と下弦材２５の内側端部とを連結した鉛直材であり、第２の合板ガセット２８は、上弦材２４の下端部と下弦材２５の外側端部とを連結した鉛直材である。
【００１４】
ここで、庇の屋根勾配は、庇構造体２０の取付領域における取付位置の上限と下限との取付間隔、及び外壁１５からの庇のはみ出し量によって定まる。
具体的には、枠組壁工法においては、木材の寸法形式が数種類に統一されているため、床根太８とまぐさ３における取付間隔は、約５００〜８００ｍｍの範囲内にある。また、庇のはみ出し量は、玄関２で雨や日差しを避ける観点から、５００〜１０００ｍｍ程度にすることが適切である。したがって、本実施形態の場合、庇の屋根勾配は、６／１０〜１０／１０になる。
【００１５】
かかる庇トラス２６は、水平方向に一定のモジュール（例えば４５５ｍｍ）毎に複数配列し、庇取付枠２３と結合している。
庇取付枠２３は、上弦材２４を水平方向に連結した上枠材２１と、下弦材２５を水平方向に連結した下枠材２２とからなる。さらに、上枠材２１は、上弦材２４の上部端面と接合した上部連結材２１ａと、上弦材２４の間に介在し且つ上弦材２４の上部側面と接合した上部転び止め２１ｂとから一体的に構成されている。下枠材２２は、下弦材２５について上記上枠材２１と同様に、下部連結部材２２ａと、下部転び止め２２ｂとから一体的に構成されている。
【００１６】
各上弦材２４の中腹部の間には、合板受け材２９が、上弦材２４と直交する水平方向に取り付けられている。上弦材２４及び合板受け材２９によって形成された斜面には、その合板受け材２９を境にして、上側に第１の屋根下地材（屋根面材）３０が取り付けられ、下側に第２の屋根下地材（屋根面材）３１が取り付けられている。
【００１７】
庇構造体２０を外壁１５に取り付ける前の段階では、第１の屋根下地材３０は、上弦材２４や合板受け材２９に固定されてなく、第２の屋根下地材３１とのテープ接合により仮止めされ、開いた状態で上枠材２１を開放するようになっている（詳細後述）。
【００１８】
なお、各庇トラス２６の下端部には、鼻隠下地材３４が取り付けられており、また、配列方向の外側の庇トラス２６には、側面合板３３が貼付されている。
【００１９】
次に、庇構造体２０の取付方法を説明する。
予め、庇構造体２０を、工場で製造し、出荷する段階では、上述したように、第１の屋根下地材３０を仮止めしておく。
図１〜図３に示すように、建築物の外壁１５に対し、庇構造体２０を所定位置に合わせる。ここでは、庇取付枠２３を外壁１５上の取付領域内に配置し、上枠材２１が床根太８と対向すると共に、下枠材２２がまぐさ３と対向するように位置決めする。
【００２０】
そして、第１の屋根下地材３０を開いた状態で、直径５ｍｍ、長さ１５０ｍｍのパネルビス（締結具）３２を、上枠材２１と下枠材２２とに、それぞれ打ち込む。この場合、パネルビス３２は、上枠材２１について、上部転び止め２１ｂ、上部連結材２１ａ、及び外壁下地材１２を貫通して床根太８に達し、下枠材２２についても同様に、下部転び止め２２ｂ、下部連結材２２ａ、及び外壁下地材１２を貫通してまぐさ３に達している。
【００２１】
パネルビス３２の締結位置は、庇構造体２０が自重で外壁１５から浮かないようにする観点から、上弦材２４及び下弦材２５のそれぞれの両側部分における上下方向の２箇所を、少なくとも含むようにしている。
【００２２】
その後、第１の屋根下地材３０を、閉じてから、釘打ちにより固定する。第１の屋根下地材３０と上枠材２１との締結では、釘の先端が上枠材２１で止まっているが、庇の屋根勾配が大きい場合にあっては、上記同様のパネルビス３２を、上枠材２１を貫通して床根太８にまで到達させ、庇構造体２０の取付強度をさらに向上させてもよい。
【００２３】
以上述べたように、本実施形態によれば、ユニット化した庇構造体２０を、外壁１５における構造材としての床根太８及びまぐさ３の双方に固定したため、パネルビス３２を用いるだけで、簡便に庇構造体２０を取り付けることができ、しかも、その取付強度を確保することができる。
【００２４】
かかる点について、別の観点からみると、２階床構造体７の構築が終了していれば、外壁１５の施工状況に依らず、いつでも、庇構造体２０を外壁１５に取り付けることができるため、庇構造体２０の取付作業に付随する無駄な時間を省き、結果として施工期間の短縮につなげることができる。
【００２５】
また、本実施形態によれば、上枠材２１及び下枠材２２により、上弦材２４及び下弦材２５についてその延在方向及び配列方向の一体化を図ると共に、上枠材２１及び下枠材２５を、パネルビス３２により貫通された状態で、それぞれ床根太８及びまぐさ３に固定したため、庇構造体２０の取付強度を向上させることができる。
【００２６】
さらに、本実施形態によれば、庇トラス２６を一定のモジュール毎に配列したため、庇構造体２０の規格化や共通化を図ることができ、その結果、製造期間の短縮、ひいては、施工期間の短縮につなげることができる。
【００２７】
さらにまた、本実施形態によれば、庇構造体２０の出荷段階において、第１の屋根下地材３０を開閉するように仮止めにしたため、上枠材２１を床根太８に締結する際に必要な作業空間を確保することができる。
【００２８】
本発明は、上記実施形態に限られることなく、種々の変更等を行うことができる。
例えば、床根太やまぐさにおける取付位置は、特に限定されるものでなく、また、取付位置の下限として、まぐさの代わりにたて枠を用いることもできる。
また、外壁開口部として、上記玄関のほか、勝手口、１階窓だけでなく、２階窓にも本発明の片持ち庇構造を適用することができる。
この場合、庇構造体の固定用の構造材として、２階窓枠におけるまぐさと、２階天井根太又は３階床根太とを用いることができる。
【００２９】
【発明の効果】
本発明によれば、簡便に庇構造体を外壁に取り付け、施工期間を短縮し得る片持ち庇構造を得ることができる。
【図面の簡単な説明】
【図１】本実施形態の片持ち庇構造の概略構成を示す平面図である。
【図２】図１の切断線Ａ−Ａに沿って示す断面図である。
【図３】本実施形態の庇構造体を建築物の外壁に取り付ける状態を示す斜視図である。
【符号の説明】
２  玄関（外壁開口部）
３  まぐさ（開口上部構造材）
７  ２階床構造体（床）
８  床根太（床構造材）
２０  庇構造体
２１  上枠材
２２  下枠材
２３  庇取付枠
２４  上弦材
２５  下弦材
２６  庇トラス
３０  第１の屋根下地材（屋根面材）
３１  第２の屋根下地材（屋根面材）
３２  パネルビス（締結具）
【図１】
2004300801.tif 000003
【図２】
2004300801.tif 000004
【図３】
2004300801.tif 000005